(57)【要約】【課題】端末装置と通信可能な情報処理装置であって、端末装置付近にいる人の情報を視覚的にわかりやすく表示する情報処理装置を提供すること。【解決手段】端末装置と通信可能な情報処理装置であって、生体検知結果及びユーザ認証結果の少なくともいずれか一方と、前記端末装置の位置情報と、を前記端末装置から受信する受信部と、地図情報を記憶する記憶部と、前記受信部が受信した情報の組み合わせに応じたマークを、前記地図情報に重畳させて表示部に表示させる制御部と、を有し、前記制御部は、前記地図情報の前記位置情報に対応する位置に 、前記マークを重畳させて表示させる情報処理装置。【選択図】      図１
2018045351.tif 000002
【特許請求の範囲】
【請求項１】
端末装置と通信可能な情報処理装置であって、
生体検知結果及びユーザ認証結果の少なくともいずれか一方と、前記端末装置の位置情報と、を前記端末装置から受信する受信部と、
地図情報を記憶する記憶部と、
前記受信部が受信した情報の組み合わせに応じたマークを、前記地図情報に重畳させて表示部に表示させる制御部と、を有し、
前記制御部は、前記地図情報の前記位置情報に対応する位置に 、前記マークを重畳させて表示させる
情報処理装置。
【請求項２】
前記制御部は、前記位置情報と、生体が検知されなかった旨を示す生体検知結果 と、を前記受信部が受信した場合は第一マークを前記表示部に表示させ、前記位置情報と、生体が検知された旨を示す生体検知結果 と、を前記受信部が受信した場合は前記第一マークとは異なる第二マークを前記表示部に表示させる、
請求項１に記載の情報処理装置。
【請求項３】
前記制御部は、前記位置情報と、ユーザ認証が成功した旨を示すユーザ認証結果と、を受信した場合は第三マークを前記表示部に表示させ、前記位置情報と、ユーザ認証が失敗した旨を示すユーザ認証結果と、を受信した場合は前記第三マークとは異なる第四マークを前記表示部に表示させる、
請求項１又は２に記載の情報処理装置。
【請求項４】
前記端末装置と、請求項１乃至３のいずれか一つの情報処理装置を備える情報処理システムであって、
前記端末装置は、
生体情報を入力する生体情報入力部と、
生体を検知する生体検知部と、
前記生体情報入力部が入力した前記生体情報と、予め登録された生体情報とに基づいて前記ユーザを認証する認証部と、
前記情報処理装置への情報の送信を制御する送信制御部と、を備え、
前記送信制御部は、前記生体検知部が生体を検知しなかった場合は前記位置情報を送信部に送信させ、前記生体検知部が生体を検知した場合は前記認証部から出力されるユーザ認証結果及び前記位置情報を前記送信部に送信させる
情報処理システム。
【請求項５】
生体検知結果及びユーザ認証結果の少なくともいずれか一方と、端末装置の位置情報と、を前記端末装置から受信する受信処理と、
受信した情報の組み合わせに応じたマークを、前記地図情報の前記位置情報に対応する位置に重畳させて表示部に表示させる制御処理と、を含む
情報処理方法。
【請求項６】
コンピュータを、
生体検知結果及びユーザ認証結果の少なくともいずれか一方と、前記端末装置の位置情報と、を前記端末装置から受信する受信部、
地図情報を記憶する記憶部、
前記受信部が受信した情報の組み合わせに応じたマークを、前記地図情報に重畳させて表示部に表示させる制御部、として機能させるプログラムであり、
前記制御部は、前記地図情報の前記位置情報に対応する位置に 、前記マークを重畳させて表示させる
プログラム。
【発明の詳細な説明】
【技術分野】
【０００１】
本発明は、情報処理装置、情報処理システム、情報処理方法、情報処理プログラム、情報処理プログラムを記憶する記憶媒体に関する。
【背景技術】
【０００２】
携帯電話やタブレット端末などの携帯機器はユーザに携帯されるため、ユーザのリアルタイムな情報を把握するのに適している。携帯機器のこのような特徴を生かして、緊急時の通報、災害発生時の安否確認、子どもや老人の所在監視などが行われている。
【０００３】
携帯情報端末を用いた被災者救助を支援するシステムの一例が特許文献１に記載されている。特許文献１によると、被災者はアクセサリ型通信機と携帯情報端末を携帯している。被災者がアクセサリ型通信機の緊急コール用スイッチをオンにすると、アクセサリ型通信機は緊急コールの信号を携帯情報端末に送信する。携帯情報端末は緊急コールの信号を受け取ると、ＧＰＳ（Ｇｒｏｂａｌ  Ｐｏｓｉｔｉｏｎｉｎｇ  Ｓｙｓｔｅｍ）衛星から取得した位置情報を緊急メールに載せて送信する。救援者側の端末は緊急メールを受信すると、地図と被災者のいる位置をプロットして表示する。
【先行技術文献】
【特許文献】
【０００４】
【特許文献１】特開２０１３−８１８４号
【発明の概要】
【発明が解決しようとする課題】
【０００５】
引用文献１に記載された救援者側の端末は、被災者の携帯情報端末の位置を地図上に表示するが、端末付近にいる人の情報を視覚的にわかりやすく表示するものではない。引用文献１に記載された救援者側の端末が表示するのは、端末の位置についての情報のみである。そこで、本発明の目的は、端末装置と通信可能な情報処理装置であって、端末装置付近にいる人の情報を視覚的にわかりやすく表示する情報処理装置を提供することにある。
【課題を解決するための手段】
【０００６】
本発明の第一の装置は、端末装置と通信可能な情報処理装置であって、生体検知結果及びユーザ認証結果の少なくともいずれか一方と、前記端末装置の位置情報と、を前記端末装置から受信する受信部と、地図情報を記憶する記憶部と、前記受信部が受信した情報の組み合わせに応じたマークを、前記地図情報に重畳させて表示部に表示させる制御部と、を有し、前記制御部は、前記地図情報の前記位置情報に対応する位置に 、前記マークを重畳させて表示させる。
【発明の効果】
【０００７】
本発明によれば、端末装置と通信可能な情報処理装置であって、端末装置付近にいる人の情報を視覚的にわかりやすく表示する情報処理装置を提供することができる。
【図面の簡単な説明】
【０００８】
【図１】第一実施形態の構成例を示すブロック図である。
【図２】表示部３００による表示例を示す説明図である。
【図３】表示部３００による表示例を示す説明図である。
【図４】第二実施形態の構成例を示すブロック図である。
【図５】端末装置の構成例を示すブロック図である。
【図６】第二実施形態の動作例を示すシークエンス図である。
【図７】記憶部１１が記憶するデータの一例である。
【図８】記憶部１１が記憶するデータの一例である。
【図９】記憶部１１が記憶するデータの一例である。
【図１０】第三実施形態の構成例を示すブロック図である。
【図１１】記憶部１４が記憶するデータの一例である。
【図１２】表示部３０１による表示例を示す説明図である。
【図１３】記憶部１４が記憶するデータの一例である。
【図１４】記憶部１４が記憶するデータの一例である。
【図１５】第三実施形態の動作例を示すシークエンス図である。
【図１６】ハードウェア構成例を示すブロック図である。
【図１７】ハードウェア構成例を示すブロック図である。
【図１８】表示部３０１による表示例を示す説明図である。
【発明を実施するための形態】
【０００９】
以下に、図面を参照して、本発明の実施の形態について詳しく説明する。ただし、以下の実施の形態に記載されている構成要素は例示であり、本発明の技術範囲をそれらに限定する趣旨のものではない。
【００１０】
（第一実施形態）
第一実施形態の構成例について説明する。図１は、情報処理装置１００の構成例を示した図である。情報処理装置１００は、端末装置と通信可能な情報処理装置である。情報処理装置１００は、受信部１０と、記憶部１１と、制御部１２と、を有する。受信部１０は、生体検知結果及びユーザ認証結果の少なくともいずれか一方と、端末装置の位置情報と、を端末装置から受信する。記憶部１１は、地図情報を記憶する。制御部１２は、受信部１０が受信した情報の組み合わせに応じたマークを、地図情報に重畳させて表示部に表示させる。このとき、制御部１２は、地図情報の位置情報に対応する位置に 、マークを重畳させて表示させる。なお、受信部１０は、端末装置から生体検知結果及びユーザ認証結果を受信せず、位置情報のみを受信する場合があってもよい。また、制御部１２は、表示部に表示させるマーク、地図情報を記憶部１１から取得しても良い。
【００１１】
生体検知結果とは、生体が検知された旨を示す情報又は生体が検知されなかった旨を示す情報である。生体の検知は、「生体らしい」特徴が入力されたか否かに基づいて行われてもよい。例えば入力された画像から「指紋らしい」特徴が抽出された場合に、生体が検知される。反対に、入力された画像から「指紋らしい」特徴が抽出されなかった場合に、生体が検知されない。「生体らしい」特徴が入力されたか否かは、入力された画像から抽出された特徴量データと、予め記憶された特徴量データとの比較に基づいて判断されてもよい。情報処理装置１００と通信可能な端末装置が生体検知を実行しても良いし、端末装置と通信可能な他の検知装置が生体検知を実行してもよい。その場合、端末装置は、検知装置から検知結果を受信し、受信した検知結果を情報処理装置１００に送信する。
【００１２】
ユーザ認証結果とは、ユーザ認証が成功した旨を示す情報又はユーザ認証が失敗した旨を示す情報である。ユーザ認証は、生体認証、パスワード認証、ジェスチャ認証等でよい。例えば生体認証では、入力された生体情報と、予め登録されたユーザの生体情報とを照合することで実行される。照合のスコアが所定の閾値を超えた場合は、ユーザ認証が成功となる。照合のスコアが所定の閾値を超えない場合は、ユーザ認証が失敗となる。例えば生体情報が指紋である場合、入力された指紋画像から抽出された特徴量データと、予め登録されたユーザの指紋の特徴量データとを照合し、一致度が所定の閾値を超える場合には、ユーザ認証が成功する。
【００１３】
端末装置の位置情報は、端末装置の相対的又は絶対的な位置を示す情報である。端末装置の位置情報は、例えば、端末装置に内蔵されたＧＰＳ受信機がＧＰＳ衛星から受信した測位データに基づいて算出された位置情報でよい。地図情報は、道路、地形、施設、行政区画等を示す情報と位置を示す座標情報を統合した情報でよい。マークは、一のマークと他のマークとを互いに区別しうる印、イラスト、文字等であれば何でも良い。
【００１４】
本実施形態によると、制御部１２は受信部１０が受信した情報の組み合わせに応じたマークを地図情報に重畳させて表示させるため、端末装置付近にいる人の情報を視覚的にわかりやすく表示することができる。
【００１５】
（具体例１）
以下、第一実施形態の制御部１２による表示の制御の具体例を説明する。制御部１２は、位置情報と、生体が検知されなかった旨を示す生体検知結果と、を受信部１０が受信した場合は、第一マークを表示部に表示させる。本具体例おいて、第一マークは★マークであるとする。また、制御部１２は、位置情報と、生体が検知された旨を示す生体検知結果と、を受信部１０が受信した場合は、第一マークとは異なる第二マークを表示部に表示させる。本具体例において、第二マークは△マークである。★マークと△マークは、端末装置から受信する情報の組み合わせに対応して記憶部１１に記憶されていても良い。記憶部１１が記憶するデータの一例を図７に示す。
【００１６】
本具体例では、情報処理装置１００は２台の端末装置２００及び２０１から情報を受信するものとする。図２は、情報処理装置１００に接続された表示部３００による表示例を示している。
【００１７】
制御部１２が、位置情報と、生体が検知されなかった旨を示す生体検知結果と、を端末装置２００から受信したとする。制御部１２は、記憶部１１を参照し、受信部１０が端末装置２００から受信した情報の組み合わせに応じたマークとして★マークを取得する。制御部１２は、表示部３００に表示させる地図情報３２のうち、端末装置２００から受信した位置情報に対応する位置に重畳させて★マーク３０を表示させる。
【００１８】
さらに、制御部１２が、位置情報と、生体が検知された旨を示す生体検知結果と、を端末装置２０１から受信したとする。制御部１２は、記憶部１１を参照し、受信部１０が端末装置２０１から受信した情報の組み合わせに応じたマークとして△マークを取得する。この場合、制御部１２は、表示部３００に表示させる地図情報３２のうち、端末装置２０１から受信した位置情報に対応する位置に重畳させて△マーク３１を表示させる。
【００１９】
表示部３００による★マーク３０の表示を見たユーザは、どこに端末装置２００があるかを視覚的に容易に把握できる。また、★マーク３０は生体が検知されなかったことを示すため、同ユーザは、端末装置２００の付近には人がいないか、人がいたとしても生体を検知できない状態にあることを視覚的に容易に把握できる。例えば生体検知が音声検知により行われる場合は、端末装置２００の付近には人がいないか、人がいたとしても声を発することができない状態（例えば、意識を失った状態や重篤な怪我を負っている状態）にあることをユーザは把握することができる。
【００２０】
同様に、表示部３００による△マーク３１の表示を見たユーザは、どこに端末装置２０１があるかを視覚的に容易に把握できる。また、△マーク３１は生体が検知されたことを示すため、同ユーザは、端末装置２０１の付近に人がいること、及びその人が少なくとも生体を検知できる状態にあることを視覚的に容易に把握できる。
【００２１】
これにより、表示部３００の表示を見たユーザは、端末装置付近の人の存否や端末付近にいる人の状態を視覚的に容易に把握することができる。
【００２２】
なお、上述の具体例における「生体が検知された旨を示す生体検知結果」には、ユーザ認証結果が含まれても良い。端末装置が生体を検知した場合にユーザ認証を行う設定の場合、生体が検知されなければユーザ認証は行われない。そのため、生体検知結果に代えてユーザ認証結果を送信することで、生体が検知されたを示すことができるためである。
【００２３】
（具体例２）
以下、第一実施形態の制御部１２による表示の制御について他の具体例を説明する。制御部１２は、位置情報と、ユーザ認証が成功した旨を示すユーザ認証結果と、を受信した場合は、第三マークを前記表示部に表示させる。本具体例において、第三マークは●マークであるとする。また、制御部１２は、位置情報と、ユーザ認証が失敗した旨を示すユーザ認証結果と、を受信した場合は第三マークとは異なる第四マークを表示部に表示させる。本具体例において、第四マークは□マークであるとする。●マークと□マークは、端末装置から受信した情報の組み合わせに対応して記憶部１１に記憶されていても良い。記憶部１１が記憶するデータの一例を図８に示す。
【００２４】
本具体例では、情報処理装置１００は２台の端末装置２００及び２０１から情報を受信するものとする。図３は、情報処理装置１００に接続された表示部３００による表示例を示している。
【００２５】
制御部１２が、位置情報と、ユーザ認証が成功した旨を示すユーザ認証結果と、を端末装置２００から受信したとする。制御部１２は、記憶部１１を参照し、受信部１０が端末装置２００から受信した情報の組み合わせに応じたマークとして●マークを取得する。この場合、制御部１２は、表示部３００に表示させる地図情報３２のうち、端末装置２００から受信した位置情報に対応する位置に重畳させて●マーク３３を表示させる。
【００２６】
さらに、制御部１２が、位置情報と、ユーザ認証が失敗した旨を示すユーザ認証結果と、を端末装置２０１から受信したとする。制御部１２は、記憶部１１を参照し、受信部１０が端末装置２０１から受信した情報の組み合わせに応じたマークとして□マークを取得する。この場合、制御部１２は、表示部３００に表示させる地図情報３２のうち、端末装置２０１から受信した位置情報に対応する位置に重畳させて□マーク３４を表示させる。
【００２７】
表示部３００による●マーク３３の表示を見たユーザは、どこに端末装置２００があるかを視覚的に容易に把握できる。また、●マーク３３はユーザ認証が成功したことを示すため、同ユーザは、端末装置２００付近に予め登録されたユーザ、例えば端末２００の本来の所有者がいることを視覚的に容易に把握できる。
【００２８】
同様に、表示部３００による□マーク３４の表示を見たユーザは、どこに端末２０１があるかを視覚的に容易に把握できる。また、□マーク３４はユーザ認証が失敗した旨を示すため、同ユーザは、端末装置２０１付近に予め登録されたユーザがいないこと又は予め登録されたユーザがいるがユーザ認証のための情報を入力できない状態にあることを視覚的に把握できる。同ユーザは、端末装置２０１付近には人がいない可能性についても把握できる。
【００２９】
具体例１と具体例２とを組み合わせる場合、制御部１２は、例えば以下のような制御を行っても良い。制御部１２は、位置情報と、生体が検知されなかった旨を示す生体検知結果と、を受信した場合は第一マークを表示部に表示させる。制御部１２は、位置情報と、生体が検知された旨を示す生体検知結果と、ユーザ認証が失敗した旨を示すユーザ認証結果と、を受信した場合は第二マークを表示部に表示させる。制御部１２は、位置情報と、生体が検知された旨を示す生体検知結果と、ユーザ認証が成功した旨を示すユーザ認証結果と、を受信した場合は第三マークを表示部に表示させる。
【００３０】
このような制御によって、表示部を見た者は、第一マークからは、人がいない又は人いたとしても深刻な状況にあること、第二マークからは、予め登録されたユーザ以外の人物がいること、第三マークからは、予め登録されたユーザがいること、を把握することができる。
【００３１】
図２及び図３に示した第一〜第四のマークのデザインは一例であり、マークの形、大きさ、色、等はこれに限られない。
【００３２】
（第二実施形態）
（第二実施形態の構成例）
第二実施形態の構成例について説明する。図４は、情報処理装置１０１と、端末装置２０２と、端末装置２０３と、を含む情報処理システム１０００を示している。情報処理装置１０１は、表示部３０１に接続している。表示部３０１は、例えば、ＴＦＴ  ＬＣＤ（Ｔｈｉｎ−ｆｉｌｍ―Ｔｒａｎｓｉｓｔｏｒ Ｌｉｑｕｉｄ Ｃｒｙｓｔａｌ Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ  ）ディスプレイ、その他のディスプレイで良い。
【００３３】
端末装置２０２及び２０３は、災害発生現場にいるユーザが携帯しているスマートフォンである。端末装置２００及び２０１は、情報処理端末１０１とインターネットを介して通信可能である。以下、端末装置２００及び２０１を総称して単に端末装置と呼ぶ場合がある。
【００３４】
地震、津波、土石流等の災害が発生すると、端末装置は災害情報（例えば災害の発生を伝えるエリアメール）を携帯電話会社から受信する。端末装置は災害情報を受信すると特定のアプリケーションを起動する。端末装置はマイクロフォンを通して入力された音響信号を分析することで生体を検知する。端末装置は、入力された音響信号が人の声であれば生体を検知し、入力された音響信号が人の声ではない場合は生体を検知しない。また、端末装置は、音響信号が入力されない場合、又は入力された音響信号の信号レベルが分析できないほど小さい場合は生体を検知しない。
【００３５】
情報処理装備１０１の構成は、第一実施形態の情報処理装置１００と同様であるため説明を省略する。
【００３６】
端末装置２０２及び端末装置２０３の構成例を説明する。図５は、端末装置２０２及び２０３の構成例を示す図である。端末装置２０２は、生体情報入力部２０−２と、生体検知部２１−２と、認証部２２−２と、送信制御部２３−２と、を有する。生体情報入力部２０−２は、生体情報を入力する。本実施形態における生体情報入力部２０−２は、スマートフォンのマイクロフォンである。生体情報入力部２０−２は、外部から音響信号を入力する。
【００３７】
生体検知部２１−２は、生体を検知する。本実施形態における生体検知部２１−２は、生体情報入力部２０−２から受信した音響信号を分析し、生体を検知する。生体検知部２１−２は、音響信号から抽出される特徴量データと、予め不図示の記憶部に記憶された特徴量データとを照合し、スコアを算出する。生体検知部２１−２は、算出されたスコアが所定の閾値を超える場合には、生体を検知し、所定の閾値を超えない場合には、生体を検知しない。生体が検知された場合、生体検知部２１−２は、生体が検知された旨を示す情報と、音響信号から抽出された特徴量データを認証部２２−２に送信する。生体が検知されなかった場合、生体検知部２１−２は、生体が検知されなかった旨を示す情報を送信制御部２３−２に送信する。
【００３８】
認証部２２−２は、体情報入力部２０−２が入力した生体情報と、予め登録された生体情報とに基づいてユーザを認証する。具体的には、認証部２２−２は、生体が検知された旨を示す情報と、音響信号から抽出された特徴量データを受信すると、特徴量データと、予め不図示の記憶部に記憶された特徴量データとを照合し、スコアを算出する。ここでいう記憶部に記憶された特徴量データとは、端末装置２０２の所有者であるユーザの音声の特徴を示すものである。端末装置２０２は、予めユーザが入力した音声データから特徴量データを抽出し、記憶していてもよい。
【００３９】
認証部２２−２は、照合のスコアが所定の閾値を超える場合には、ユーザ認証が成功した旨を示す情報を送信制御部２３−２に送信する。認証部２２−２は、照合のスコアが所定の閾値を超えない場合には、ユーザ認証が失敗した旨を示す情報を送信制御部２３−２に送信する。
【００４０】
送信制御部２３−２は、情報処理装置１０１への情報の送信を制御する。また、送信制御部２３−２は、生体検知部２１−２が生体を検知しなかった場合は位置情報を不図示の送信部に送信させ、生体検知部２１−２が生体を検知した場合は認証部２２−２から出力されるユーザ認証結果及び位置情報を不図示の送信部に送信させる。
【００４１】
生体検知部２１−２が生体を検知しなかった場合について、まずは具体的に説明する。送信制御部２３−２は、生体検知部２１−２から生体が検知されなかった旨を示す情報を受信する。送信制御部２３−２は、不図示の位置情報生成部から端末装置２０２の位置情報を受信する。不図示の位置情報生成部は、端末装置２０２に内蔵されたＧＰＳ受信機がＧＰＳ衛星から受信した測位データに基づいて、端末装置２０２の位置情報を生成してもよい。送信制御部２３−２は、端末装置２０２の位置情報を不図示の送信部に送信させる。不図示の送信部は、情報処理装置１０１に位置情報を送信する。なお、送信制御部２３−２は、位置情報に加えて生体が検知されなかった旨を示す情報を送信部に送信させても良い。
【００４２】
次に、生体検知部２１−２が生体を検知した場合について説明する。送信制御部２３−２は、認証部２２−２から、ユーザ認証が成功した旨を示す情報又はユーザ認証が失敗した旨を示す情報を受信する。また、送信制御部２３−２は、不図示の位置情報生成部から端末装置２０２の位置情報を受信する。送信制御部２３−２は、ユーザ認証が成功した旨を示す情報又はユーザ認証が失敗した旨を示す情報と、位置情報とを送信部に送信させる。送信部は、ユーザ認証が成功した旨を示す情報又はユーザ認証が失敗した旨を示す情報と、位置情報とを情報処理装置１０１に送信する。
【００４３】
端末装置２０３は、生体情報入力部２０−３と、生体検知部２１−３と、認証部２２−３と、送信制御部２３−３と、を有する。生体情報入力部２０−３、生体検知部２１−３、認証部２２−３、送信制御部２３−３については、端末装置２０２の生体情報入力部２０−２、生体検知部２１−２、認証部２２−２と、送信制御部２３−２と同様であるため、説明を省略する。
【００４４】
（第二実施形態の動作）
第二実施形態の動作例について説明する。図６は、第二実施形態の動作例を示すシークエンス図である。本実施形態では、端末装置２０２のユーザは災害発生現場で意識を失っているものとする。一方、端末装置２０３のユーザは、災害発生現場にいるものの端末装置２０３を操作できる状態であり、また、端末装置２０３の所有者であるとする。
【００４５】
地震、津波、土石流等の災害が発生すると、端末装置２０２及び２０３は、災害情報を携帯電話会社から受信する。端末装置２０２及び２０３は、は災害情報を受信すると本実施形態の動作を実行するアプリケーションを起動する。そして、端末装置２０２及び２０３は、音声を発するようユーザに促す通知をする。例えば端末装置２０２及び２０３は、画面に「声をだしてください。」というメッセージを表示しても良いし、同メッセージを表す合成音声を出力してもよい。その後、端末装置２０２及び２０３は、生体情報入力部２０−２、２０−３から音響信号を受信する（Ｓ１、Ｓ２）。
【００４６】
端末装置２０２のユーザは意識を失っていて音声を発することができないため、生体情報入力部２０−２は、人の音声を示す音響信号を入力しない。しがって、生体検知部２１−２は、生体を検知しない。生体検知部２１−２は、生体が検知されなかった旨を示す情報を送信制御部２３−２に送信する。
【００４７】
送信制御部２３−２は、生体検知部２１−２から生体が検知されなかった旨を示す情報を受信する。送信制御部２３−２は、不図示の位置情報生成部から端末装置２０２の位置情報を受信する。送信制御部２３−２は、端末装置２０２の位置情報を不図示の送信部に送信させる。不図示の送信部は、情報処理装置１０１に端末装置２０２の位置情報を送信する（Ｓ３）。
【００４８】
端末装置２０３のユーザは端末装置２０３を操作できる状態にあるため、端末装置２０３からの通知に従って音声を発する。そのため、生体情報入力部２０−３は、人の音声を示す音響信号を入力する。生体検知部２１−３は、生体情報入力部２０−２から受信した音響信号を分析し、生体を検知する（Ｓ４）。そして、生体検知部２１−３は、生体が検知された旨を示す情報と音響信号から抽出された特徴量データを認証部２２−３に送信する。
【００４９】
認証部２２−３は、生体が検知された旨を示す情報と音響信号から抽出された特徴量データを生体検知部２１−３から受信すると、ユーザ認証を行う（Ｓ５）。具体的には、認証部２２−３は、受信した特徴量データと、予め不図示の記憶部に記憶された特徴量データとを照合し、スコアを算出する。ここでいう記憶部に記憶された特徴量データとは、端末装置２０３の所有者であるユーザの音声の特徴を示すものである。
【００５０】
本実施形態では、音声を発したのは端末装置２０３の所有者であるため、認証部２２−３によるユーザ認証は成功する。認証部２２−３は、ユーザ認証が成功した旨を示す情報を送信制御部２３−３に送信する。
【００５１】
送信制御部２３−３は、認証部２２−３から、ユーザ認証が成功した旨を示す情報を受信する。また、送信制御部２３−２は、不図示の位置情報生成部から端末装置２０３の位置情報を受信する。送信制御部２３−３は、端末装置２０３の位置情報と、ユーザ認証が成功した旨を示す情報を不図示の送信部に送信させる。不図示の送信部は、情報処理装置１０１に端末装置２０３の位置情報と、ユーザ認証が成功した旨を示す情報を送信する（Ｓ６）。
【００５２】
情報処理装置１０１の受信部１０は、端末装置２０２から端末装置２０２の位置情報を受信する（Ｓ７）。また、受信部１０は、端末装置２０３から端末装置２０３の位置情報及びユーザ認証が成功した旨を示す情報を受信する（Ｓ８）。制御部１２は、記憶部１１から地図情報を取得する。このとき制御部１２は、端末装置２０２の位置情報及び端末装置２０３の位置情報が含まれる地図情報を取得する。制御部１２は、端末装置２０２の位置情報及び端末装置２０３の位置情報のいずれか一方が含まれる地図情報を取得しても良い。
【００５３】
そして制御部１２は、受信部１０が受信した情報の組み合わせに応じたマークを、地図情報に重畳させて表示部に表示させる。制御部１２は、受信部１０が受信した情報の組み合わせに応じたマークを、記憶部１１から取得する。
【００５４】
第二実施形態において記憶部１１が記憶するデータの一例を図９に示す。図９より、位置情報のみが受信された場合には、×マークが対応付けられている。位置情報及びユーザ認証が失敗した旨を示す情報が受信された場合には、□マークが対応付けられている。位置情報及びユーザ認証が成功した旨を示す情報が受信された場合には、●マークが対応付けられている。
【００５５】
端末装置２０２からは端末装置２０２の位置情報が受信されたため、制御部１２は、記憶部１１を参照して×マークを取得する。そして、制御部１２は、表示部３０１に表示される地図情報のうち、端末装置２０２から受信した位置情報に対応する位置に重畳させて×マークを表示する。
【００５６】
端末装置２０３からは端末装置２０３の位置情報及びユーザ認証が成功した旨を示す情報が受信されたため、制御部１２は、記憶部１１を参照して●マークを取得する。そして、制御部１２は、表示部３０１に表示される地図情報のうち、端末装置２０３から受信した位置情報に対応する位置に重畳させて●マークを表示する。
【００５７】
第二実施形態により、端末装置２０２内の送信制御部２３−２は、生体検知部２１−２が生体を検知しなかった場合は位置情報を送信部に送信させる。つまり、端末装置２０２は、生体検知部２１−２が生体を検知しなかった場合には、生体検知結果及びユーザ認証結果を送信する必要がない。これにより、端末装置２０２が送信するデータ量を削減することができる。同様のことは端末装置２０３についてもいえる。
【００５８】
また、端末装置２０２内の送信制御部２３−２は、生体検知部２１−２が生体を検知した場合はユーザ認証結果及び位置情報を送信部に送信させる。つまり、端末装置２０２は、生体検知部２１−２が生体を検知した場合には、生体検知結果を送信する必要がない。これにより、端末装置２０２が送信するデータ量をさらに削減することができる。同様の端末装置２０３についてもいえる。
【００５９】
なお、本実施形態における端末装置はスマートフォンとして説明したが、端末装置はインターネットや他の通信手段によって他の装置と通信可能な装置であれば何でも良い。例えば端末装置は、携帯電話、ウェアラブル端末、ノートＰＣ（ｐｅｒｓｏｎａｌ  ｃｏｍｐｕｔｅｒ）、家電製品、自動販売機等でも良い。
【００６０】
また、生体情報入力部２０−２及び２０−３が入力する情報は音響信号に限られない。例えば生体情報入力部２０−２及び２０−３がカメラや光学センサである場合、生体情報入力部２０−２及び２０−３は画像データを入力してもよい。この場合、生体検知部２１−２及び２１−３は、入力された画像データから生体を検知する。例えば生体検知部２１−２及び２１−３は、入力された画像データを分析し、指紋パターン、血管パターン、顔、等を検出することで生体を検知しても良い。
【００６１】
第二実施形態では、携帯電話会社から災害情報を受信した場合に本実施形態の動作を実行するアプリケーションが起動すると説明したが、アプリケーション起動の契機はこれに限られない。例えば端末装置は、情報処理装置１０１からトリガとなる信号を受信したときにアプリケーションを起動してもよい。
【００６２】
あるいは端末装置は、マイクロフォンから入力された音声信号に対して音声認識を行い、所定のキーワードを認識したときにアプリケーションを起動しても良い。例えば端末装置は、「助けて」というフレーズが認識された場合に、アプリケーションを起動しても良い。または、端末装置は、イクロフォンから入力された音声信号に対して感情認識を行い、特定の感情が認識された場合にアプリケーションを起動してもよい。感情認識は、入力された音声信号から認識されたフレーズ、音声信号の音量、周波数等の少なくともいずれか一つを用いて行われても良い。例えば端末装置は、音声信号から「助けて」というフレーズが認識され、かつ音声信号が所定の音量を満たす場合に「恐怖」の感情を認識し、アプリケーションを起動してもよい。
【００６３】
また、端末装置は音声を発するようユーザに促す通知をした後に、特定のキーワードを認識した場合、ユーザが救助を求めている旨を示す情報を情報処理装置１０１に送信しても良い。例えば端末装置２０２は、音声を発するようユーザに促す通知をした後に、マイクロフォンから入力された音声信号に対して音声認識を行う。そして、端末装置２０２は、認識された文字列と予め登録されたキーワード「助けて」とを照合し、照合が成功した場合にはユーザが救助を求めている旨を示す情報を情報処理装置１０１に送信しても良い。この場合、情報処理装置１０１内の制御部１２は、表示部３０１に表示される地図情報のうち、端末装置２０２の位置情報に対応する位置に、ユーザが救助を求めている旨を示す情報を重畳して表示しても良い。または、制御部１２は、ユーザが救助を求めている旨を示す情報を送信した端末装置についてはマークを表示部３０１に表示させ、ユーザが救助を求めている旨を示す情報を送信しなかった端末装置については、マークを表示部３０１に表示させなくても良い。
【００６４】
端末装置は、生体検知結果、ユーザ認証結果と共に、端末ＩＤを情報処理装置１０１に送信しても良い。端末装置ＩＤは、Ｂｌｕｅｔｏｏｔｈ（登録商標）等の無線通信に用いられるものであることが望ましい。端末装置ＩＤを把握することで、救助に向かう者は、災害現場においてネットワーク通信を介さずに端末装置と通信することが可能となる。これにより、端末装置の探索が容易となる。
【００６５】
さらに、端末装置は、生体検知結果、ユーザ認証結果と共に、ユーザの氏名・性別・年齢等の基本情報、ユーザの心拍数、端末装置のバッテリー残量、生体が検知された時刻、ユーザ認証が行われた時刻、などを情報処理装置１０１に送信しても良い。情報処理装置１０１内の制御部１２は、端末装置から送信されたこれらの情報を、上述のマークとともに地図情報に重畳させて表示部３０１に表示させても良い。
【００６６】
第二実施形態では、情報処理装置１０１は２つの端末装置から情報を受信し、これらの端末装置のそれぞれについて、受信した情報の組み合わせに応じたマークを表示部３０１に表示させたが、情報処理装置１０１はより多くの端末装置について同様の処理を行っても良い。例えば受信部１０は、端末装置２０２から端末装置２０２の位置情報を受信し、端末装置２０３から端末装置２０３の位置情報及びユーザ認証が成功した旨を示す情報を受信したとする。さらに受信部１０は、不図示の端末装置２０５から端末装置２０５の位置情報及びユーザ認証が失敗した旨を示す情報を受信したとする。
【００６７】
制御部１２は、図９を参照し、位置情報のみが受信された場合に対応する×マークを取得する。そして、制御部１２は、表示部３０１に表示される地図情報のうち、端末装置２０２から受信した位置情報に対応する位置に重畳させて×マーク３５を表示させる。また、制御部１２は、図９を参照し、位置情報及びユーザ認証が成功した旨を示す情報が受信された場合に対応する●マークを取得する。そして、制御部１２は、表示部３０１に表示される地図情報のうち、端末装置２０３から受信した位置情報に対応する位置に重畳させて●マーク３３を表示する。さらに、制御部１２は、図９を参照し、位置情報及びユーザ認証が失敗した旨を示す情報が受信された場合に対応する□マークを取得する。そして、制御部１２は、表示部３０１に表示される地図情報のうち、端末装置２０５から受信した位置情報に対応する位置に重畳させて□マーク３４を表示する。表示部３０１の表示例を図１８に示す。
【００６８】
また、端末装置は、ユーザ認証が成功した場合に、端末装置に予め登録された特定の宛先に所定の情報を送信しても良い。例えば端末装置２００は、認証部２２−２によるユーザ認証が成功すると、不図示の記憶部に予め記憶されたメールアドレスのうち、災害時の連絡先として指定されているメールアドレスに所定の情報を送信する。所定の情報は、例えば生体が検知された旨を示す情報、ユーザ認証が成功した旨を示す情報、端末装置２００の位置情報、端末２００のユーザが被災した旨を示す情報、などで良い。
【００６９】
（第三実施形態）
（第三実施形態の構成例）
第三実施形態の構成例について説明する。第三実施形態の構成例を図１０に示す。第三実施形態の情報処理システム１００１は、端末装置２０４と、情報処理装置１０２とを含む点で第二実施形態と異なる。端末装置２０４は、位置情報、生体検知結果、ユーザ認証結果以外にも、様々な情報を情報処理装置１０２に送信しうる。
【００７０】
情報処理装置１０２は、優先度決定部１３、記憶部１４、制御部１５を有する点で第二実施形態と異なる。優先度決定部１３は、端末装置２０４から送信された情報と記憶部１４に記憶された情報とに基づいて、端末装置２０４付近にいる人、又はいる可能性のある人の救助の優先度を決定する。記憶部１４は、第二実施形態の記憶部１１が記憶するデータに加えて、端末装置２０４から送られた情報と、優先度の決定に用いられる点数とを対応付けて記憶する。制御部１５は、優先度決定部１３が決定した優先度に応じた情報を表示部３０１に表示させる。制御部１５は、表示部３０１に表示させるマークの近傍に、優先度に応じた情報を表示させても良い。
【００７１】
以下に、優先度の決定について具体的に説明する。その他の構成については第二実施形態と同様であるため、適宜説明を省略する。
＜生体検知結果及びユーザ認証結果を用いた優先度決定＞
生体検知結果及びユーザ認証結果を用いた優先度決定について説明する。本具体例では、端末装置２０４が情報処理装置１０２に送信する情報は第二実施形態と同様である。
【００７２】
情報処理装置１０２の受信部１０は、端末装置２０４の位置情報、生体検知結果、ユーザ認証結果の少なくともいずれか一つを端末装置２０４から受信する。優先度決定部１３は、受信部１０が受信した情報の組み合わせに応じた点数を記憶部１４から取得し、取得した点数を、端末装置２０４の付近にいる人／いる可能性のある人の救助の優先度として決定する。
【００７３】
記憶部１４が記憶するデータの一例を図１１に示す。記憶部１４は、第二実施形態の記憶部１１と同様に、端末装置２０４から受信した情報の組み合わせと、表示されるマークとを対応付けて記憶する。さらに、記憶部１４は、受信部１０が位置情報を受信した場合に対応づけて「１０」点を記憶している。記憶部１４は、受信部１０が位置情報及びユーザ認証が失敗した旨を示す情報を受信した場合に対応付けて「３」点を記憶している。記憶部１４は、受信部１０が位置情報及びユーザ認証が成功した旨を示す情報を受信した場合に対応付けて「５」点を記憶している。
【００７４】
受信部１０が端末装置２０４から端末装置２０４の位置情報のみを受信した場合、優先度決定部１３は、記憶部１４を参照して「１０」点を取得する。そして、優先度決定部１３は、「１０」点を端末装置２０４の優先度として制御部１５に送信する。制御部１５は、数字の「１０」を受信部１０が受信した情報の組み合わせに応じた×マークの近傍に表示させる。表示部３０１の表示例を図１２に示す。図１２では、表示部３０１に表示される地図情報のうち、端末装置２０４から受信した位置情報に対応する位置に重畳させて×マーク３５が表示されている。また、×マーク３５の近傍には吹き出しのイラストと共に「１０」が表示されている。
【００７５】
なお、制御部１５が表示部３０１に表示させる情報は、優先度を示す数字に限らない。制御部１５は、端末装置２０４から送信された情報の組み合わせに応じたマークの視認性を変化させてもよい。例えば制御部１５は、優先度の高さに応じて表示部３０１に表示させるマークの色を変えても良い。または、制御部１５は、優先度の高さに応じて表示部３０１に表示させるマークを点滅させたり、動かしたりしてもよい。
【００７６】
＜端末装置から送信される他の情報を用いた優先度決定＞
端末装置２０４から送信される他の情報を用いた優先度決定について説明する。本具体例における端末装置２０４は、端末装置２０４のバッテリー残量、ユーザの年齢、ユーザの心拍数を送信する。ユーザの年齢は、予め端末装置２０４の所有者が端末装置２０４に入力したものでもよい。また、端末装置２０４は、認証部におけるユーザ認証が成功した場合のみ、ユーザの年齢を情報処理装置１０２に送信しても良い。ユーザの心拍数は、端末装置２０４内の計測部が測定しても良い。または、ユーザの心拍数は、端末装置２０４と通信可能なウェアラブル端末が測定し、端末装置２０４に送信しても良い。情報処理端末１０２の受信部１０は、端末装置２０４からバッテリー残量、ユーザの年齢、ユーザの心拍数を受信する。
【００７７】
優先度決定部１３は、受信したバッテリー残量に対応する点数を記憶部１４から取得する。同様に、優先度決定部１３は、受信したユーザの年齢に対応する点数と、受信したユーザの心拍数に対応する点数と、を記憶部１４から取得する。そして、優先度決定部１３は、記憶部１４から取得した３つの点数を足し合わせ、合計値を端末装置２０４の優先度として制御部１５に送信する。
【００７８】
記憶部１４が記憶するデータの一例を図１３に示す。例えば、端末装置２０４から送信されたバッテリー残量が「中」、ユーザ年齢が「５０歳」、心拍数が「３５」であるとする。この場合、優先度決定部１３は、「バッテリー残量：中」に対応する「０」点と、「１２歳〜６５歳」に対応する「０」点と、「〜４０回／分」に対応する「１０」点と、を記憶部１４から取得する。そして、優先度決定部１３はこれらの点数を足し合わせ、合計値である「１０」点を制御部１５に送信する。制御部１５については「生体検知結果及びユーザ認証結果を用いた優先度決定」と同様であるため説明を省略する。
【００７９】
なお、端末装置２０４が情報処理装置１０２に送信する情報、および記憶部１４が点数に対応付けて記憶する情報はこれに限られない。例えば端末装置２０４は、端末装置２０４付近に存在する人の数、端末装置２０４の電波環境等を送信しても良い。例えば、端末２０４は、マイクロフォンから入力された音声信号を分析し、何人分の音声特徴が含まれているかを決定してもよい。
【００８０】
また、優先度決定部１３は、端末装置２０４から送信された生体検知結果及びユーザ認証結果に基づいて記憶部１４から取得した点数に、バッテリー残量、ユーザの年齢、ユーザの心拍数等のその他の情報に基づいて取得した点数を加算して優先度を決定しても良い。
【００８１】
＜端末装置の位置情報に基づいた優先度決定＞
端末装置２０４の位置情報に基づいた優先度決定について説明する。本具体例における優先度決定部１３は、端末装置２０４から受信した位置情報に基づいて端末装置２０４が存在する位置の海抜を求め、求めた海抜に対応する点数を記憶部１４から取得する。優先度決定部１３は、端末装置２０４から受信した位置情報を不図示のＤＢ（データベース）から検索し、端末装置２０４が存在する位置の海抜を求めてもよい。
【００８２】
記憶部１４が記憶するデータの一例を図１４に示す。図１４より、記憶部１４は海抜の高さに対応付けて点数を記憶している。優先度決定部１３は、端末装置２０４が存在する位置の海抜が１２ｍである場合、「５」点を取得する。そして、優先度決定部１３は「５」点を端末装置２０４の優先度として制御部１５に送信する。優先度決定部１３は、前述の２つの具体例で求めた点数と、本具体例で求めた点数とを足し合わせ、合計値を端末装置２０４の優先度として制御部１５に送信してもよい。制御部１５については「生体検知結果及びユーザ認証結果を用いた優先度決定」と同様であるため説明を省略する。
【００８３】
本具体例の優先度決定では、端末装置２０４が存在する位置の海抜を用いたが、優先度決定に用いられる情報はこれに限られない。例えば優先度決定部１３は、海岸線、震源地、噴火口、過去の被災位置等と、端末装置２０４との距離を用いて優先度を決定しても良い。また、優先度決定部１３は、端末装置２０４が存在する位置の天気、標高等を用いて優先度を決定しても良い。
【００８４】
上述した３つの具体例によれば、端末装置付近にいる人又はいる可能性のある人の救助の優先度が表示されるため、救助を行う者は、どこから優先的に救助活動を行うべきか把握することができる。
【００８５】
（第三実施形態の動作例）
第三実施形態の動作例を説明する。図１５は、第三実施形態の動作例を示すシークエンス図である。Ｓ１，Ｓ３，Ｓ７，Ｓ９は第二実施形態と同様であるため、適宜説明を省略する。優先度決定部１３は、端末装置２０４から送信された情報と記憶部１４に記憶された情報とに基づいて、端末装置２０４付近にいる人、又はいる可能性のある人の救助の優先度を決定する（Ｓ１０）。優先度決定部１３は、決定した優先度を制御部１５に送信する。制御部１５は、優先度決定部１３が決定した優先度に応じた情報を表示部３０１に表示させる（Ｓ１１）。表示部３０１は、地図情報に重畳させてマークを表示する際に、優先度に応じた情報を表示する。
【００８６】
なお、情報処理装置１０２が端末装置２０４から連続して位置情報を受信する場合、優先度決定部１３は、端末装置２０４から送信される位置情報の変化に基づいて優先度を決定しても良い。例えば、ある時点で端末装置２０４から送信された位置情報と、他の時点で端末装置２０４から送信された位置情報との間の距離が所定の閾値以上である場合、優先度決定部１３は、上述の具体例で求めた優先度から所定の値を減算したり、優先度を０としてもよい。端末装置２０４の位置情報が変化しているということは、端末装置２０４のユーザが移動できる状態にあるということであり、救助の必要性が低いためである。
【００８７】
第二実施形態及び第三実施形態では、端末装置が生体検知及びユーザ認証を行ったが、情報処理装置１００〜１０２が生体検知及びユーザ認証を実行しても良い。例えば情報処理装置１００〜１０２が端末装置から生体データを受信し、生体を検知しても良い。また、情報処理装置１００〜１０２が、端末装置から受信した生体データと、予め記憶部１１又は１４に記憶したユーザの生体データとを照合し、ユーザ認証を実行しても良い。
【００８８】
その場合、情報処理装置１００〜１０２は、自身で実行した生体検知結果およびユーザ認証結果に基づいて記憶部１１又は１４からマークを取得し、地図情報に重畳させて表示部３０１に表示させる。
【００８９】
（ハードウェア構成）
次に、ハードウェア構成例について説明する。図１６は、情報処理装置１００〜１０２少なくともいずれか一つを実現する情報処理装置１０３の構成例を示す図である。
【００９０】
情報処理装置１０３は、あらゆる一般的なコンピュータで良い。図１６に示す通り、情報処理装置１０３は、プロセッサ１４０２、メモリ１４０４、ストレージ１４０６、メモリ１４０４と接続するノースブリッジ１４０８、拡張スロット１４１０を含む。また、情報処理装置１０３は、通信インターフェース１４１４、ストレージ１４０６に接続するサウスブリッジ１４１２を含む。これらの構成要素は、互いにバスによって接続されている。
【００９１】
プロセッサ１４０２は、メモリ１４０４、ストレージ１４０６等に記憶された命令を読み出して実行する。プロセッサ１４０２は、不図示の表示装置に映像を表示するために命令を実行してもよい。
【００９２】
プロセッサ１４０２は、制御部１２又は１５、優先度決定部１３を実現する。プロセッサ１４０２は、メモリ１４０４又はストレージ１４０６から読み出した命令に従って上述の実施形態を実現するアプリケーションを実行する。プロセッサ１４０２は、ＣＰＵ（Ｃｅｎｔｒａｌ  Ｐｒｏｃｅｓｓｉｎｇ  Ｕｎｉｔ）、ＡＳＩＣｓ（Ａｐｐｌｉｃａｉｏｎ  Ｓｐｅｃｉｆｉｃ  Ｉｎｔｅｇｒａｔｅｄ  Ｃｉｒｃｕｉｔｓ）等の回路で良い。
【００９３】
メモリ１４０４は、コンピュータ読み取り可能な記憶媒体である。メモリ１４０４は、ＲＡＭ等の揮発性の記憶媒体でも良いし、ＲＯＭ等の不揮発性の記憶媒体でも良い。また、メモリ１４０４は、光学ディスク、磁気ディスク等でもよい。ストレージ１４０６は、大容量なコンピュータ読み取り可能な記憶媒体で良い。ストレージ１４０６は、例えばフロッピー（登録商標）ディスク、ハードディスクドライブ、光学ディスク、フラッシュメモリ等で良い。これらのコンピュータ読み取り可能な記憶媒体が記憶するコンピュータプログラムが含む命令は、プロセッサ１４０２によって実行されることで上述の実施形態が実現される。ストレージ１４０６またはメモリ１４０４は、記憶部１１または１４を実現する。
【００９４】
ノースブリッジ１４０８は、ＣＰＵやメモリなどに接続され、データ転送のタイミングやその速度などをコントロールする。ノースブリッジ１４０８は、主に高速に動作する装置との間でデータの橋渡しをする。一方、サウスブリッジ１４１２は、比較的低速に動作する装置との間でデータの橋渡しをする。例えばノースブリッジ１４０８は、メモリ１４０４、不図示の表示装置、拡張スロット１４１０と接続されていても良い。また、サウスブリッジ１４１２は、ストレージ１４０６、通信インターフェース１４１４と接続されていても良い。
【００９５】
通信インターフェース１４１４は、ＵＳＢ，Ｂｌｕｅｔｏｏｔｈ（登録商標）、Ｅｔｈｅｒｎｅｔ（登録商標）,ｗｉｒｅｌｅｓｓ Ｅｔｈｅｒｎｅｔ等の様々なコミュニケーションポートを含んでも良い。また、これらのコミュニケーションポートは、一つまたは複数の入出力装置、例えばキーボード、ポインティングデバイス、スキャナ、ルーター等の通信機器、と接続されても良い。通信インターフェース１４１４は、受信部１０を実現する。
【００９６】
図１７は、端末装置２００〜２０４少なくともいずれか一つを実現する端末装置２０５の構成例を示す図である。端末装置２０５は、携帯電話、スマートフォン、ＰＤＡ（ｐｅｒｓｏｎａｌ  ｄｉｇｉｔａｌ  ａｓｓｉｓｔａｎｔ）等の携帯端末で良い。また、端末装置２０５はウェアラブル端末、家電製品、自動販売機等でも良い。
【００９７】
端末装置２０５は、ディスプレイ１４５４、トランシーバ１４６８、オーディオコーデック１４６０、コントロールインターフェース１４５８、ディスプレイインターフェース１４５６、を有していても良い。また、端末装置２０５は、通信インターフェース１４６６、プロセッサ１４５２、ＧＰＳ受信機１４７０、増設メモリ１４７４、メモリ１４６４、外部インターフェース１４６２をさらに有していても良い。
【００９８】
ディスプレイ１４５４は、例えば、ＴＦＴ  ＬＣＤ（Ｔｈｉｎ−ｆｉｌｍ―Ｔｒａｎｓｉｓｔｏｒ Ｌｉｑｕｉｄ Ｃｒｙｓｔａｌ Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ  ）ディスプレイ、その他のディスプレイで良い。また、ディスプレイは、コントロールインターフェース１４５８や、ディスプレイインターフェース１４５６と接続されていても良い。
【００９９】
ディスプレイインターフェース１４５６は回路によって構成されても良い。ディスプレイインターフェース１４５６は、映像や他の情報を利用者に表示するためにディスプレイを制御する。コントロールインターフェース１４５８は利用者からのコマンドを受け取る。そして、コントロールインターフェース１４５８は、受け取ったコマンドをプロセッサ１４５２に送信するために変換する。
【０１００】
また、端末装置２０５は、外部装置とプロセッサ１４０２との通信を可能にする外部インターフェース１４６２を有していても良い。外部インターフェース１４６２は、端末装置２０５と外部装置との有線通信又は無線通信を実現しても良い。
【０１０１】
増設メモリ１４７４は、増設インターフェース１４７２を介して端末装置２０５に接続する。また、増設メモリ１４７４は、例えばＳＩＭＭ（Ｓｉｎｇｌｅ  Ｉｎ  Ｌｉｎｅ  Ｍｅｍｏｒｙ  Ｍｏｄｕｌｅ）カードインターフェースを含んでいても良い。また、増設メモリ１４７４は、端末装置２０５に追加の記憶領域を与え、アプリケーションやその他の情報を記憶しても良い。さらに、増設メモリ１４７４は、セキュリティに関する情報を記憶していても良い。例えば増設メモリ１４７４には、端末装置２０５の安全な動作環境を実現する命令がプログラムされている。
【０１０２】
端末装置２０５は、通信インターフェース１４６６を介して無線通信を行う。つまり端末装置２０５は、通信インターフェース１４６６を介して情報処理装置１０３と通信しても良い。
【０１０３】
通信インターフェース１４６６は、デジタル信号処理回路を含んでも良い。通信インターフェース１４６６は、ＧＭＳ（Ｇｌｏｂａｌ  Ｓｙｓｔｅｍ  ｆｏｒ  Ｍｏｂｉｌｅ  Ｃｏｍｍｕｎｉｃａｔｉｏｎ）、ＳＭＳ（Ｓｈｏｒｔ  Ｍｅｓｓａｇｅ  Ｓｅｒｖｉｃｅ），ＥＭＳ（Ｅｎｈａｎｃｅｄ  Ｍｅｓｓａｇｉｎｇ  Ｓｅｒｖｉｃｅ）等のモード、プロトコルの下で通信を実現しても良い。または、通信インターフェース１４６６は、ＭＭＳ（Ｍｕｌｔｉｍｅｄｉａ  Ｍｅｓｓａｇｉｎｇ  Ｓｅｒｖｉｃｅ），ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（ｔｉｍｅ  ｄｉｖｉｓｉｏｎ  ｍｕｌｔｉｐｌｅ  ａｃｃｅｓｓ）等のモード、プロトコルの下で通信を実現しても良い。
【０１０４】
さらに、通信インターフェース１４６６は、ＰＤＣ（Ｐｅｒｓｏｎａｌ  Ｄｉｇｉｔａｌ  Ｃｅｌｌｕｌａｒ），ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＧＰＲＳ（Ｇｅｎｅｒａｌ ｐａｃｋｅｔ ｒａｄｉｏ ｓｅｒｖｉｃｅ）等のモード、プロトコルの下で通信を実現しても良い。上述の通信は、例えばトランシーバ１４６８を介して発生する。また、狭域の通信、例えばＢｌｕｅｔｏｏｔｈ，Ｗｉ−Ｆｉ（登録商標）等を利用した通信も、トランシーバ１４６８を介して実現されても良い。
【０１０５】
ＧＰＳ受信機１４７０は、ＧＰＳ衛星から測位データを受信する。端末装置２０５は、オーディオコーデック１４６０を介して音声通信を行っても良い。オーディオコーデック１４６０は、利用者から音声情報を取得し、それをデジタル情報として利用可能に変換する。さらに、オーディオコーデック１４６０は利用者が聞き取り可能な音声を生成する。オーディオコーデック１４６０が扱う情報は、音声通話、録音された音（ボイスメッセージ、音楽ファイルなど）、携帯端末１００１上のアプリケーションが生成した音、等でも良い。
【０１０６】
マイクロフォン１４６１は、音声信号を入力する。マイクロフォン１４６１が入力したデータは、オーディオコーデック１４６０に送信されても良い。マイクロフォン１４６１は、生体情報入力部２０−２または２０−３を実現しても良い。
【０１０７】
プロセッサ１４５２、及びメモリ１４６４については、情報処理装置１０３と同様であるため説明を省略する。プロセッサ１４５２は、生体検知部２１−２又は２１−３、認証部２２−２又は２２−３、送信制御部２３−２又は２３−３を実現しても良い。プロセッサ１４５２は、メモリ１４６４に記憶されたプログラムを読み出すことで、生体検知部２１−２又は２１−３、認証部２２−２又は２２−３、送信制御部２３−２又は２３−３の機能を実現しても良い。
【０１０８】
上述した各実施形態は本発明を具体化した一例に過ぎず、請求の範囲に記載された本発明の趣旨の範囲内であれば、種々変更することができるものである。
【符号の説明】
【０１０９】
１０    受信部
１１    記憶部
１２    制御部
１３    優先度決定部
１４    記憶部
１５    制御部
２０−２    生体情報入力部
２０−３    生体情報入力部
２１−２    生体検知部
２１−３    生体検知部
２２−２    認証部
２２−３    認証部
２３−２    送信制御部
２３−３    送信制御部
３０    マーク
３１    マーク
３２    地図情報
３３    マーク
３４    マーク
３５    マーク
１００    情報処理装置
１０１    情報処理装置
１０２    情報処理装置
１０３    情報処理装置
２０２    端末装置
２０３    端末装置
２０４    端末装置
３００    表示部
３０１    表示部
１０００    情報処理システム
１００１    情報処理システム
１４０２    プロセッサ
１４０４    メモリ
１４０６    ストレージ
１４０８    ノースブリッジ
１４１０    拡張スロット
１４１２    サウスブリッジ
１４１４    通信インターフェース
１４５２    プロセッサ
１４５４    ディスプレイ
１４５６    ディスプレイインターフェース
１４５８    コントロールインターフェース
１４６０    オーディオコーデック
１４６１    マイクロフォン
１４６６    通信インターフェース
１４６８    トランシーバ
１４６２    外部インターフェース
１４６４    メモリ
１４７０    ＧＰＳ受信機
１４７２    増設インターフェース
１４７４    増設メモリ
【図１】
2018045351.tif 000003
【図２】
2018045351.tif 000004
【図３】
2018045351.tif 000005
【図４】
2018045351.tif 000006
【図５】
2018045351.tif 000007
【図６】
2018045351.tif 000008
【図７】
2018045351.tif 000009
【図８】
2018045351.tif 000010
【図９】
2018045351.tif 000011
【図１０】
2018045351.tif 000012
【図１１】
2018045351.tif 000013
【図１２】
2018045351.tif 000014
【図１３】
2018045351.tif 000015
【図１４】
2018045351.tif 000016
【図１５】
2018045351.tif 000017
【図１６】
2018045351.tif 000018
【図１７】
2018045351.tif 000019
【図１８】
2018045351.tif 000020